(57)【要約】【課題】湯水を幅広で薄膜状に吐出するに際し、その吐出を良好な状態で維持することができ、また、コンパクト化及び組付け性の向上をも図ることができる吐出装置及び水栓を提供すること。【解決手段】湯又は水を幅広の薄膜状に吐出する吐出口４の上流側に連なる吐出流路３に、吐出流路３の流路幅を絞り、吐出流路３を流れる湯又は水を吐出流路３の中心側に寄せる流路絞り部１６と、流路絞り部１６内またはその近傍に配置され、吐出流路１６を横断する上流側網状体７Ａと、流路絞り部１６を通過して下流側に向かって流れる間に吐出流路３の流路幅方向に広がる湯又は水の広がり終わり位置またはその近傍において、吐出流路３を横断する下流側網状体７Ｂとが設けられている。【選択図】図４
2010209549.tif 000002
【特許請求の範囲】
【請求項１】
湯又は水を幅広の薄膜状に吐出する吐出口の上流側に連なる吐出流路に、
この吐出流路の流路幅を絞り、吐出流路を流れる湯又は水を吐出流路の中心側に寄せる流路絞り部と、
この流路絞り部内またはその近傍に配置され、吐出流路を横断する上流側網状体と、
前記流路絞り部を通過して下流側に向かって流れる間に吐出流路の流路幅方向に広がる湯又は水の広がり終わり位置またはその近傍において、吐出流路を横断する下流側網状体とが設けられた吐出装置。
【請求項２】
前記流路絞り部、上流側網状体及び下流側網状体を有し、吐出装置の本体に装着された状態で内部が前記吐出流路の一部を形成する整流器を備え、
該整流器は、上面に設けられた係止部と、左右両側壁に連設され、弾性変形により左右方向に変位する弾性片とを有し、
前記本体は、前記係止部が係止する被係止部と、該本体に対して前記整流器を装着する際に前記弾性片をガイドするガイド部とを有し、該ガイド部によってガイドされた二つの前記弾性片は前記ガイド部または前記本体の内壁部によって整流器の内側に向けて押圧されるように構成されている請求項１に記載の吐出装置。
【請求項３】
前記整流器は、
前記流路絞り部が内部に設けられ、上流側網状体及び下流側網状体を保持するように構成され、前記本体内に一部が挿入され、挿入された状態で内部が前記吐出流路の一部を形成する筒状部材と、
前記吐出口が設けられ、前記筒状部材を保持する状態で前記本体に装着されるキャップ体とを備え、
このキャップ体に、前記係止部及び前記弾性片が設けられている請求項２に記載の吐出装置。
【請求項４】
前記流路絞り部が内部に設けられ、上流側網状体及び下流側網状体を保持するように構成され、吐出装置の本体内に一部が挿入され、挿入された状態で内部が前記吐出流路の一部を形成する筒状部材と、
前記吐出口が設けられ、前記筒状部材を保持する状態で前記本体に装着されるキャップ体とを備え、
前記キャップ体は、弾性変形により左右に変位し、外側に突起部が設けられた弾性片を左右に有し、前記本体は、前記突起部が係止する被係止溝と、この被係止溝に前記突起部が係止する位置にまで弾性片をガイドするためのガイド部とを内側面の左右に有している請求項１に記載の吐出装置。
【請求項５】
請求項１〜４の何れかに記載の吐出装置を備えた水栓であって、前記吐出口からの吐出流量を調節する調節部を備え、この調節部から前記上流側網状体及び流路絞り部までの間に定流量弁が設けられている水栓。
【発明の詳細な説明】
【技術分野】
【０００１】
本発明は、湯又は水を吐出する吐出装置及びこれを備えた水栓に関する。
【背景技術】
【０００２】
従来の水栓として、吐出口の横幅を広く形成し、この吐出口から湯水を滝のように扁平に吐出させること（幅広吐出）を狙ったものがある（例えば、特許文献１、２参照）。
【先行技術文献】
【特許文献】
【０００３】
【特許文献１】実公昭６２−３５７１７号公報
【特許文献２】実開平３−１２９６８号公報
【発明の概要】
【発明が解決しようとする課題】
【０００４】
ところで、湯水が幅広の薄膜状に吐出されれば、湯水の透明感が強調され、その視覚的、装飾的効果を高めることができるが、吐出口を単に幅広とするだけでは、吐出される湯水を綺麗な面（薄膜）状に維持することができないという問題がある。
【０００５】
また、水栓本体の下流部にある管状部に対し、幅広の吐出口を有する整流器をねじ止め等により組み付け、この整流器の吐出口から幅広吐出を行わせようとする場合、ねじ止め等の構造により、吐出口の口幅が大きくても吐出される湯水の幅が小さくなってしまうことがあり、そこで湯水の吐出幅を十分に確保しようとすると整流器ひいては水栓全体が大型化してしまうという問題がある。さらに、ねじ止めにより整流器を管状部に組み付ける場合、その組み付けに手間がかかる上、組付け後に整流器ががたつく等、組付け性の点で不都合が生じる恐れもあった。
【０００６】
本発明は上述の実情に鑑みてなされたもので、その目的は、湯水を幅広で薄膜状に吐出するに際し、その吐出を良好な状態で維持することができ、また、コンパクト化及び組付け性の向上をも図ることができる吐出装置及び水栓を提供することにある。
【課題を解決するための手段】
【０００７】
上記目的を達成するために、本発明に係る吐出装置は、湯又は水を幅広の薄膜状に吐出する吐出口の上流側に連なる吐出流路に、この吐出流路の流路幅を絞り、吐出流路を流れる湯又は水を吐出流路の中心側に寄せる流路絞り部と、この流路絞り部内またはその近傍に配置され、吐出流路を横断する上流側網状体と、前記流路絞り部を通過して下流側に向かって流れる間に吐出流路の流路幅方向に広がる湯又は水の広がり終わり位置またはその近傍において、吐出流路を横断する下流側網状体とが設けられている（請求項１）。
【０００８】
また、上記吐出装置が、前記流路絞り部、上流側網状体及び下流側網状体を有し、吐出装置の本体に装着された状態で内部が前記吐出流路の一部を形成する整流器を備え、該整流器は、上面に設けられた係止部と、左右両側壁に連設され、弾性変形により左右方向に変位する弾性片とを有し、前記本体は、前記係止部が係止する被係止部と、該本体に対して前記整流器を装着する際に前記弾性片をガイドするガイド部とを有し、該ガイド部によってガイドされた二つの前記弾性片は前記ガイド部または前記本体の内壁部によって整流器の内側に向けて押圧されるように構成されていてもよい（請求項２）。
【０００９】
さらに、上記吐出装置において、前記整流器は、前記流路絞り部が内部に設けられ、上流側網状体及び下流側網状体を保持するように構成され、前記本体内に一部が挿入され、挿入された状態で内部が前記吐出流路の一部を形成する筒状部材と、前記吐出口が設けられ、前記筒状部材を保持する状態で前記本体に装着されるキャップ体とを備え、このキャップ体に、前記係止部及び前記弾性片が設けられていてもよい（請求項３）。
【００１０】
また、上記吐出装置において、前記流路絞り部が内部に設けられ、上流側網状体及び下流側網状体を保持するように構成され、吐出装置の本体内に一部が挿入され、挿入された状態で内部が前記吐出流路の一部を形成する筒状部材と、前記吐出口が設けられ、前記筒状部材を保持する状態で前記本体に装着されるキャップ体とを備え、前記キャップ体は、弾性変形により左右に変位し、外側に突起部が設けられた弾性片を左右に有し、前記本体は、前記突起部が係止する被係止溝と、この被係止溝に前記突起部が係止する位置にまで弾性片をガイドするためのガイド部とを内側面の左右に有していてもよい（請求項４）。
【００１１】
一方、上記目的を達成するために、本発明に係る水栓は、請求項１〜４の何れかに記載の吐出装置を備えた水栓であって、前記吐出口からの吐出流量を調節する調節部を備え、この調節部から前記上流側網状体及び流路絞り部までの間に定流量弁が設けられている（請求項５）。
【発明の効果】
【００１２】
請求項１に係る発明では、湯水を幅広で薄膜状に吐出するに際し、その吐出を良好な状態で維持することができる吐出装置及び水栓が得られる。
【００１３】
請求項２、３に係る発明では、整流器の係止部及び二つの弾性片を用いて整流器を吐出装置の本体に係止固定するので、その係止固定のための構造がシンプルかつコンパクトであり、従って構成全体のコンパクト化を図ることができ、しかも、本体に対する整流器の装着が容易で装着後の状態も良好に保たれるので組付け性の向上をも図ることができる。
【００１４】
請求項４に係る発明では、整流器の二つの弾性片を用いて整流器を吐出装置の本体に係止固定するので、その係止固定のための構造がシンプルかつコンパクトであり、従って構成全体のコンパクト化を図ることができ、しかも、本体に対する整流器の装着が容易で装着後の状態も良好に保たれるので組付け性の向上をも図ることができる。
【００１５】
そして、請求項５に係る発明では、上記の効果を奏するのみならず、吐出流路を流れる湯水の流量を制限して、吐出口から吐出される湯水を確実に綺麗な面状に維持することができる水栓が得られる。
【図面の簡単な説明】
【００１６】
【図１】本発明の一実施の形態に係る水栓の使用状態を概略的に示す斜視図である。
【図２】（Ａ）及び（Ｂ）は前記水栓の構成を概略的に示す平面図及び縦断面図である。
【図３】前記水栓の構成を概略的に示す斜視図である。
【図４】前記水栓の要部の主に下面側の構成を概略的に示す分解斜視図である。
【図５】前記水栓の要部の主に上面側の構成を概略的に示す分解斜視図である。
【図６】前記水栓の要部における湯水の流れを概略的に示す説明図である。
【図７】前記水栓の要部における湯水の流れを概略的に示す横断面図である。
【図８】前記水栓の要部の構成を概略的に示す横断面図である。
【図９】前記水栓の要部の構成を概略的に示す縦断面図である。
【図１０】（Ａ）及び（Ｂ）は前記水栓の網状体の構成を概略的に示す正面図及び横断面図である。
【図１１】（Ａ）〜（Ｄ）は前記水栓の筒状部材の構成を概略的に示す平面図、側面図、正面図及び背面図、（Ｅ）は（Ａ）のＡ−Ａ線断面図、（Ｆ）は（Ｂ）のＢ−Ｂ線断面図、（Ｇ）は（Ａ）のＣ−Ｃ線断面図、（Ｈ）は（Ｄ）のＤ部拡大図である。
【図１２】（Ａ）〜（Ｃ）は前記水栓のキャップ体の構成を概略的に示す平面図、側面図及び背面図、（Ｄ）は（Ａ）のＥ−Ｅ線断面図である。
【図１３】（Ａ）〜（Ｄ）は前記水栓の管状部の構成を概略的に示す平面図、縦断面図、正面図及び底面図、（Ｅ）は（Ｄ）のＦ−Ｆ線切断端面図、（Ｆ）は（Ｂ）のＧ部拡大図、（Ｇ）は（Ｆ）のＨ−Ｈ線切断端面図である。
【図１４】（Ａ）及び（Ｂ）は、前記水栓の要部の変形例の構成を概略的に示す分解斜視図及び横断面図である。
【発明を実施するための形態】
【００１７】
以下、本発明を実施するための形態について図面を参照しながら説明する。
【００１８】
まず、本発明の一実施の形態に係る水栓について説明する。ここで、図１は本発明の一実施の形態に係る水栓の使用状態を概略的に示す斜視図、図２（Ａ）及び（Ｂ）は前記水栓の構成を概略的に示す平面図及び縦断面図、図３は前記水栓の構成を概略的に示す斜視図、図４は前記水栓の要部の主に下面側の構成を概略的に示す分解斜視図、図５は前記水栓の要部の主に上面側の構成を概略的に示す分解斜視図、図６は前記水栓の要部における湯水の流れを概略的に示す説明図、図７は前記水栓の要部における湯水の流れを概略的に示す横断面図、図８は前記水栓の要部の構成を概略的に示す横断面図、図９は前記水栓の要部の構成を概略的に示す縦断面図、図１０（Ａ）及び（Ｂ）は前記水栓の網状体の構成を概略的に示す正面図及び横断面図、図１１（Ａ）〜（Ｄ）は前記水栓の筒状部材の構成を概略的に示す平面図、側面図、正面図及び背面図、図１１（Ｅ）は同図（Ａ）のＡ−Ａ線断面図、図１１（Ｆ）は同図（Ｂ）のＢ−Ｂ線断面図、図１１（Ｇ）は同図（Ａ）のＣ−Ｃ線断面図、図１１（Ｈ）は同図（Ｄ）のＤ部拡大図、図１２（Ａ）〜（Ｃ）は前記水栓のキャップ体の構成を概略的に示す平面図、側面図及び背面図、図１２（Ｄ）は同図（Ａ）のＥ−Ｅ線断面図、図１３（Ａ）〜（Ｄ）は前記水栓の管状部の構成を概略的に示す平面図、縦断面図、正面図及び底面図、図１３（Ｅ）は同図（Ｄ）のＦ−Ｆ線切断端面図、図１３（Ｆ）は同図（Ｂ）のＧ部拡大図、図１３（Ｇ）は同図（Ｆ）のＨ−Ｈ線切断端面図である。
【００１９】
第１の実施の形態に係る水栓（以下、「本水栓」と略記する）は、いわゆるカウンタ面やデッキ面に設置されるタイプの水栓であり、図１には、洗面台Ｗのリム部Ｒの上面（カウンタ面）に設置された状態を示している。
【００２０】
図２（Ｂ）に示すように、本水栓には、リム部Ｒを上下に挿通する給湯配管Ｐ及び給水配管（図示していない）が接続され、給湯配管Ｐ及び給水配管から本水栓内に湯及び水が供給される。そして、この湯及び水は、本水栓の本体（胴）１内の調節部２を経た後、吐出流路３を流れて吐出口４から吐出される。尚、本体１は、例えば鋳物からなる。
【００２１】
調節部２は、操作レバー５の操作に連動して、吐出口４から吐出される湯水の流量（吐出流量）及び混合比（温度）を調節するように構成されたカートリッジよりなる。すなわち、操作レバー５を図２（Ｂ）に実線で示す直立姿勢にすれば止水状態となり、直立姿勢から後側に傾倒した傾倒姿勢とすれば吐出（吐水）状態となり（図２（Ｂ）の仮想線参照）、傾倒姿勢において直立姿勢からの傾倒角度が大きいほど吐出流量が大きくなる。また、図２（Ａ）に示すように、操作レバー５の傾倒方向を左右にすることによって吐出する湯水の温度（混合比）を調節することができる。
【００２２】
そして、本水栓は、図２（Ｂ）及び図３に示すように、本体１に装着される整流器６を備えている。整流器６は、本体１に着脱自在であり、本体１に装着された状態でその内部が吐出流路３の一部を形成するものであって、図４及び図５に示すように、２枚の網状体７，７と、筒状部材８と、キャップ体９とを有している。
【００２３】
網状体７は、金属（本例ではステンレス）製の部材であり、図１０（Ａ）及び（Ｂ）に示すように、網状部分１０と、この網状部分１０の周縁に連設された枠部分１１とによって構成されている。網状部分１０は、正面視が扁平な円形状をしており、例えば１００メッシュで線径が０．１ｍｍである。また、網状部分１０より枠部分１１の方が厚く形成されており（本例では網状部分１０の厚みは０．２ｍｍ、枠部分１１の厚みは１ｍｍ）、網状部分１０は枠部分１１の端部（厚み方向において一端側に寄った位置）に連設されている（図１０（Ｂ）中の拡大図参照）。
【００２４】
筒状部材８は、ほぼ扁平な円筒状をした樹脂製の部材であり、図１１（Ａ）、（Ｂ）、（Ｅ）、（Ｆ）に示すように、中央部１２を挟んで前後に保持部１３を有し、前後の保持部１３によって網状体７をそれぞれ保持するように構成されている（図９参照）。各保持部１３は略扁平な筒状をしており、その上下左右方向の内寸及び外寸が筒状部材８の中央部１２よりも大きくなっている。また、各保持部１３の内壁には、図１１（Ｃ）、（Ｄ）〜（Ｆ）、（Ｈ）に示すように、前後方向に延び、網状体７を固定保持する固定リブ１４が複数（本例では８個）設けられている。本例では、網状体７を保持部１３内に挿入すると、固定リブ１４が網状体７の枠部分１１に食い込み、あるいは枠部分１１が固定リブ１４を押し潰し、これによって網状体７が保持部１３内に保持される構成となっている。
【００２５】
また、図１１（Ｃ）〜（Ｆ）に示すように、筒状部材８の中央部１２の内側後端部には、左右から中央側に向けて延びる障害壁１５，１５が設けられ、これら二つの障害壁１５，１５によって、筒状部材８内を通る吐出流路３の流路幅を絞り、吐出流路３を流れる湯又は水を吐出流路３の中心側に寄せる流路絞り部１６が構成されている（図６及び図７参照）。
【００２６】
また、図１１（Ａ）〜（Ｄ）に示すように、筒状部材８の中央部１２の上面において前側寄りの位置に、本体１に対する筒状部材８の組付け向きの誤りを防止するため（詳細は後述する）の突起１７が設けられている。この突起１７は、保持部１３及び後述する突条部１９よりも上方に突出している。
【００２７】
また、図１１（Ａ）、（Ｂ）、（Ｅ）、（Ｆ）に示すように、筒状部材８の中央部１２の外周面には、保持部１３とで例えばＯリングであるシール部材１８（図４、図９参照）を保持する二つの突条部１９が設けられている。
【００２８】
また、図１１（Ｃ），（Ｄ），（Ｆ），（Ｇ）に示すように、筒状部材８の中央部１２には、前後に延びる補強リブ２０が設けられている。
【００２９】
キャップ体９は、樹脂製の部材であり、図１２（Ｄ）に示すように、前部９ａがほぼ中実に、後部９ｂが中空に構成され、後部９ｂ内は後側に向けて開放されている。また、前部９ａ内には、この前部９ａをほぼ前後に貫通する横長の貫通孔２１が設けられ、この貫通孔２１の前部分２１ａは前方斜め下に向かって延び、後部分２１ｂは前後（水平）に延びている。そして、貫通孔２１の前端が上記の吐出口４となる。尚、吐出口４は横４４ｍｍ、縦３ｍｍの大きさをしている。
【００３０】
また、キャップ体９の後部９ｂの上面には、図１２（Ａ）〜（Ｄ）に示すように、上方に突出した突起からなる係止部２２が設けられている。
【００３１】
また、キャップ体９の後部９ｂの左右両側壁の後部には、図１２（Ａ）〜（Ｄ）に示すように、弾性変形により左右方向に変位する弾性片２３がそれぞれ設けられ、各弾性片２３は外側に突出する突起部２３ａを有している。
【００３２】
また、キャップ体９の前部９ａの上面には、図１２（Ａ）及び（Ｄ）に示すように、左右方向に延びる凹入部２４が設けられている。
【００３３】
上記のように構成された整流器６を着脱自在に装着することができるように、本体１の前部には、図１３（Ｂ）〜（Ｄ）に示すように、整流器６を装着するための装着部２５が設けられている。装着部２５は、前側から順に、下方が開放された先端部２６と、筒状部２７とを有し、図１３（Ａ）に示すように、装着部２５の上面は平面となっている。そして、筒状部２７内は、筒状部２７よりも上下左右の内寸が小さい連通口部２８を介して吐出流路４のさらに上流側に連通している。
【００３４】
先端部２６の上壁の下面には、図１３（Ｂ）〜（Ｄ）に示すように、キャップ体９の係止部２２（図１２（Ａ）等参照）が係止する被係止部２９が設けられている。被係止部２９は、先端部２６の上壁の下面に形成された左右に延びる溝からなり、この溝の左右端部は左右方向における外側ほど浅くなるように構成されている（図１３（Ｅ）参照）。
【００３５】
また、先端部２６の左右両側壁の内面には、図１３（Ｂ）〜（Ｄ）、（Ｆ）に示すように、キャップ体９の弾性片２３をガイドするためのガイド部３０が設けられている。ガイド部３０は、先端部２６の左右両側壁の内面に形成された前後に延びる溝からなり、この溝の前後端部は前後方向における外側ほど浅くなるように構成されている（図１３（Ｇ）参照）。
【００３６】
次に、本体１に対する整流器６の装着方法について、図４、図５、図８、図９を参照しながら述べる。
【００３７】
まず、筒状部材８の前後の保持部１３に、それぞれ網状体７を挿入して保持させる。また、二つのシール部材１８を筒状部材８に装着する。
【００３８】
ここで、網状体７を保持部１３に挿入する際に、図９に示すように、網状体７の網状部分１０が前後方向における内側を向くようにする。すなわち、筒状部材８の後側の保持部１３に挿入する網状体７を、網状部分１０が枠部分１１の前側に位置するように向け、前側の保持部１３に挿入する網状体７を、網状部分１０が枠部分１１の後側に位置するように向ける。
【００３９】
続いて、筒状部材８の前部をキャップ体９の後部９ｂ内に挿入し、この状態でキャップ体９を本体１の装着部２５に装着する。この装着は、キャップ体９を装着部２５に対してその前方から挿入するようにして行い、この際、キャップ体９の左右の弾性片２３が装着部２５の左右のガイド部３０にガイドされ、このガイドはキャップ体９の係止部２２が装着部２５の被係止部２９に係止するまで行われる。そして、このようにガイドされた二つの弾性片２３は、ガイド部３０の後端部又は本体１の内壁部（左右両側壁）によって整流器６の内側に向けて押圧され、これにより、キャップ体９は筒状部材８を保持した状態で装着部２５に強固に固定される。
【００４０】
整流器６が装着部２５に装着された状態では、筒状部材８の一部（後部）は装着部２５の筒状部２７内に挿入された状態となる（図８、図９参照）。また、キャップ体９の下面は装着部２５の下面とほぼ面一となる（図３、図９参照）。
【００４１】
そして、上記のようにして本体１に整流器６が装着された本水栓では、湯又は水を吐出する吐出口４の上流側に連なる吐出流路３に、この吐出流路３の流路幅を絞り、吐出流路３を流れる湯又は水を吐出流路３の左右の幅方向における中心側に寄せる流路絞り部１６と、この流路絞り部１６の上流側近傍に配置され、吐出流路３を横断する網状体７（以下、上流側網状体７Ａという）と、流路絞り部１６を通過して下流側に向かって流れる間に吐出流路３の流路幅方向（左右の幅方向）に広がる湯又は水の広がり終わり位置またはその近傍において、吐出流路３を横断する網状体７（以下、下流側網状体７Ｂという）とが設けられたこととなる。
【００４２】
ここで、装着部２５に対して整流器６を装着する際に、誤って筒状部材８の向きを前後逆にしてしまうと、流路絞り部１６が下流側に位置することになり、吐出口４からの良好な幅広の薄膜状の吐出を実現することができなくなる（詳細は後述する）。しかし、本例では、上述したように筒状部材８に突起１７を設けてあるので、このような誤りが生じない。すなわち、図５に示すように、突起１７が上側かつ前側寄りに位置するように筒状部材８を向けた場合にのみ装着部２５に対する整流器６の装着を行える。これに対して、誤って突起１７が上側かつ後側寄り又は下側かつ後側寄りに位置するように筒状部材８を向けた場合、突起１７が邪魔になって筒状部材８を装着部２５の筒状部２７内に所定深さまで挿入することができず、これに伴って、装着部２５内に対するキャップ体９の挿入も浅くなって係止部２２が被係止部２９に係止させることができない。また、突起１７が下側かつ前側寄りに位置するように筒状部材８を向けた場合には、キャップ体９の後部９ｂに対する筒状部材８の挿入が突起１７によって妨げられるので、やはり整流器６を装着部２５に装着することができなくなる。
【００４３】
次に、本水栓における湯水の流れについて、図２、図６、図７、図９を参照しながら説明する。
【００４４】
湯水の吐出を行わせるように操作レバー５を操作すると、給湯配管Ｐ及び給水配管から本体１内に供給される湯水は、カートリッジ２内で適宜の比率で混合され、所定の流量とされた後、定流量弁３１（図２参照）を経て吐出流路３を流れる。尚、定流量弁３１は、水圧（本例では、０．１〜０．７５ＭＰａを想定している）に拘わらず吐出流路３を流れる湯水の流量を一定にする（流量に上限を設ける）ものであり、本例では、湯水の流量が７Ｌ／ｍｉｎより大きくならないように構成されたものを用いている。
【００４５】
そして、湯水は、本体１の前方に向かって上り傾斜を有するように設けられた吐出流路３の上り傾斜部分３ａ（図２参照）を流れ、その下流側に設けられた上流側網状体７Ａに至る。ここで、上流側網状体７Ａに至った湯水は、その上流側の上り傾斜部分３ａを経たことにより、吐出流路３の流路幅全体（左右）に広がった状態となっている。
【００４６】
その後、吐出流路３の流路幅全体に広がった湯水は、上流側網状体７Ａを通過して整流され、直後に、流路絞り部１６によって吐出流路３の流路幅方向（左右方向）の中心側に寄せられることになる（図６、図７参照）。
【００４７】
さらに、湯水は、流路絞り部１６を通過した直後から吐出流路３の流路幅方向に広がるようにして下流側に向かって流れ、その広がり終わり位置またはその近傍に設けられた下流側網状体７Ｂを通過する（図６、図７参照）。尚、筒状部材８内には補強リブ２０が設けられており、実際にはこの補強リブ２０を避けて湯水が流れるが、図６、図７において補強リブ２０の図示は省略してある。また、本例では、上流側網状体７Ａから下流側網状体７Ｂまでの距離は２３ｍｍである。
【００４８】
その後、湯水は、貫通孔２１内を通って吐出口４から前方斜め下に向けて吐出される（図６、図７参照）。
【００４９】
そして、本発明者らは、流路絞り部１６の幅を適切に設定することにより、吐出口４から吐出された湯水が、幅広で綺麗な面（薄膜）状に維持されることを確認している。すなわち、流路絞り部１６の幅（二つの障害壁１５，１５間の距離）が小さすぎると吐出口４から吐出される湯水に沢山の飛沫が生じ、この傾向は水圧が高くなるほど顕著となる。逆に大きすぎると、吐出口４から吐出される湯水が幅広とならず薄膜状にもならず、この傾向は水圧が低くなるほど顕著となる。これらの点を考慮して、本例では、筒状部材８内の流路幅及び貫通孔２１の横幅が共に４４ｍｍであり、連通口部２８（流路絞り部１６の直ぐ上流側に位置する流路部分）の横幅が４６ｍｍであるのに対し、流路絞り部１６の幅（二つの障害壁１５，１５間の距離）を２２〜２４ｍｍとしてある。
【００５０】
上述のように、本水栓では、湯水を幅広で薄膜状に吐出するに際し、その吐出を良好な状態で維持することができる。
【００５１】
また、本水栓では、整流器６のキャップ体９の係止部２２及び二つの弾性片２３を用いて整流器６を本体１に係止固定するので、その係止固定のための構造がシンプルかつコンパクトであり、従って本水栓全体のコンパクト化を図ることができ、しかも、本体１に対する整流器６の装着が容易で装着後の本水栓の状態も良好に保たれるので組付け性の向上をも図ることができる。
【００５２】
なお、本水栓は、各部材の材料や形状等の構成要素を適宜変更することができる。
【００５３】
例えば、本水栓は、湯水混合水栓に限らず、水のみ又は湯のみを吐出する単水栓であってもよく、また、カウンタ面やデッキ面に設置されるタイプの水栓に限らず、いわゆる壁面取付型の水栓であってもよい。
【００５４】
また、上流側網状体７Ａを流路絞り部１６の上流側近傍に設けるのではなく、流路絞り部１６の内側や流路絞り部１６の下流側近傍に設けてもよい。
【００５５】
また、筒状部材８に十分強度があれば、補強リブ２０を設けなくてもよい。
【００５６】
また、弾性片２３に突起部２３ａを設ける代わりに、弾性片２３を内側に押圧する突起部を装着部２５の左右側壁に設けてもよい。
【００５７】
また、係止部２２と被係止部２９よりなる係止構造も種々に変形することができ、例えば、係止部２２を溝に、被係止部２９を突起にしてもよい。
【００５８】
また、図１４（Ａ）及び（Ｂ）に示すように、ガイド部３０の後端側に上下に延びる被係止溝３２を設け、被係止溝３２に弾性片２３の突起部２３ａを係止させて整流器６を装着部２５に装着するように構成してもよい。すなわち、ガイド部３０を浅い溝によって構成すると共に、被係止溝３２をガイド部３０を構成する溝よりも深い溝とし、弾性片２３はガイド部３０を通過するときにガイド部３０によって整流器６の内側に押圧されて変形し、被係止溝３２に至ったときに前記押圧から開放されて被係止溝３２に突起部２３ａが係止するように構成してもよい。この場合、キャップ体９の係止部２２及び装着部２５の被係止部２９を設けなくてもよい。
【００５９】
また、ガイド部３０は溝に限らず、弾性片２３をガイド部３０によってガイドすることができる構造であれば、弾性片２３とガイド部３０を種々に変形することができる。
【００６０】
また、定流量弁３１は、吐出流量を調節する部位（本例では調節部２）から上流側網状体７Ａ及び流路絞り部１６までの間に設けられていればよく、図２に示した位置に設けられるものに限られない。
【００６１】
また、本発明の一実施の形態として水栓について述べたが、本発明は、調節部２や操作レバー５を有さず、単に湯あるいは水を吐出するように構成された吐出装置に適用してもよい。例えば、本水栓における吐出流路３から下流側の部分（吐出口４までの部分）を吐出装置ということもでき、この場合、本体１における吐出流路３から下流側の部分（整流器６は含まない）は吐出装置の本体となる。
【符号の説明】
【００６２】
１    本体
２    調節部
３    吐出流路
４    吐出口
６    整流器
７Ａ  上流側網状体
７Ｂ  下流側網状体
８    筒状部材
９    キャップ体
１６    流路絞り部
２２    係止部
２３    弾性片
２９    被係止部
３１    定流量弁
【図１】
2010209549.tif 000003
【図３】
2010209549.tif 000004
【図４】
2010209549.tif 000005
【図１１】
2010209549.tif 000006
【図１２】
2010209549.tif 000007
【図１４】
2010209549.tif 000008
【図２】
2010209549.tif 000009
【図５】
2010209549.tif 000010
【図６】
2010209549.tif 000011
【図７】
2010209549.tif 000012
【図８】
2010209549.tif 000013
【図９】
2010209549.tif 000014
【図１０】
2010209549.tif 000015
【図１３】
2010209549.tif 000016